【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
コンテンツを提示するためのシステムであって、前記システムは、
ハードウェアプロセッサを備え、前記ハードウェアプロセッサは、
メディアプレイバック装置との接続を確立し、
メディアコンテンツアイテムを提示するコンピューティング装置からのディスカバリ要求に応答し、
持続的な通信チャネルを確立するという前記コンピューティング装置からの要求に応答して、ネットワーク上で前記コンピューティング装置との持続的な通信チャネルを確立し、
前記コンピューティング装置によって提示されている前記メディアコンテンツアイテムの識別情報と、前記コンピューティング装置によって提示されている前記メディアコンテンツアイテムのソースの識別情報とを受信し、
前記メディアコンテンツアイテムの識別された前記ソースから前記メディアコンテンツアイテムをメディアコンテンツストリームとして要求し、
前記メディアプレイバック装置を用いて前記メディアコンテンツアイテムを提示するようにプログラムされる、システム。
【請求項２】
前記ハードウェアプロセッサはさらに、
前記メディアコンテンツアイテムの提示を一時停止するコマンドを、前記通信チャネル上で前記コンピューティング装置から受信し、
前記メディアコンテンツアイテムの提示を一時停止する受信した前記コマンドに応答して、前記メディアプレイバック装置による前記メディアコンテンツアイテムの提示を一時停止する
ように構成される、請求項１に記載のシステム。
【請求項３】
前記ハードウェアプロセッサはさらに、前記メディアプレイバック装置による前記メディアコンテンツアイテムの提示のステータスを、前記通信チャネル上で前記コンピューティング装置に送信するように構成される、請求項１または２に記載のシステム。
【請求項４】
前記ステータスは、前記メディアプレイバック装置を用いて現在提示されている前記メディアコンテンツアイテムの一部に関するタイミング情報を含む、請求項３に記載のシステム。
【請求項５】
前記ステータスは、前記メディアプレイバック装置を用いて現在提示されている前記メディアコンテンツアイテムの識別情報を含む、請求項３または４に記載のシステム。
【請求項６】
前記ハードウェアプロセッサはさらに、
前記コンピューティング装置によって提示されている前記メディアコンテンツアイテムのタイミング情報を受信し、
受信した前記タイミング情報に基づいて、前記メディアプレイバック装置を用いる前記メディアコンテンツアイテムの提示を、前記メディアコンテンツアイテムにおける特定の時間に開始する
ように構成される、請求項１から５のいずれか１項に記載のシステム。
【請求項７】
前記メディアコンテンツアイテムの前記ソースの前記識別情報はＩＰアドレス情報を含む、請求項１から６のいずれか１項に記載のシステム。
【請求項８】
コンテンツを提示するための方法であって、前記方法は、
メディアプレイバック装置との接続を確立することと、
メディアコンテンツアイテムを提示するコンピューティング装置からのディスカバリ要求に応答することと、
持続的な通信チャネルを確立するという前記コンピューティング装置からの要求に応答して、ネットワーク上で前記コンピューティング装置との持続的な通信チャネルを確立することと、
前記コンピューティング装置によって提示されている前記メディアコンテンツアイテムの識別情報と、前記コンピューティング装置によって提示されている前記メディアコンテンツアイテムのソースの識別情報とを受信することと、
前記メディアコンテンツアイテムの識別された前記ソースから前記メディアコンテンツアイテムをメディアコンテンツストリームとして要求することと、
前記メディアプレイバック装置を用いて前記メディアコンテンツアイテムを提示することとを備える、方法。
【請求項９】
前記メディアコンテンツアイテムの提示を一時停止するコマンドを、前記通信チャネル上で前記コンピューティング装置から受信することと、
前記メディアコンテンツアイテムの提示を一時停止する受信した前記コマンドに応答して、前記メディアプレイバック装置による前記メディアコンテンツアイテムの提示を一時停止することとをさらに備える、請求項８に記載の方法。
【請求項１０】
前記メディアプレイバック装置による前記メディアコンテンツアイテムの提示のステータスを、前記通信チャネル上で前記コンピューティング装置に送信することをさらに備える、請求項８または９に記載の方法。
【請求項１１】
前記ステータスは、前記メディアプレイバック装置を用いて現在提示されている前記メディアコンテンツアイテムの一部に関するタイミング情報を含む、請求項１０に記載の方法。
【請求項１２】
前記ステータスは、前記メディアプレイバック装置を用いて現在提示されている前記メディアコンテンツアイテムの識別情報を含む、請求項１０または１１に記載の方法。
【請求項１３】
前記コンピューティング装置によって提示されている前記メディアコンテンツアイテムのタイミング情報を受信することと、
受信した前記タイミング情報に基づいて、前記メディアプレイバック装置を用いる前記メディアコンテンツアイテムの提示を、前記メディアコンテンツアイテムにおける特定の時間に開始することとをさらに備える、請求項８から１２のいずれか１項に記載の方法。
【請求項１４】
前記メディアコンテンツアイテムの前記ソースの前記識別情報はＩＰアドレス情報を含む、請求項８から１３のいずれか１項に記載の方法。
【請求項１５】
プロセッサによって実行されると前記プロセッサにコンテンツを提示するための方法を実行させるコンピュータ実行可能命令を含むコンピュータ読取可能なプログラムであって、前記方法は、
メディアプレイバック装置との接続を確立することと、
メディアコンテンツアイテムを提示するコンピューティング装置からのディスカバリ要求に応答することと、
持続的な通信チャネルを確立するという前記コンピューティング装置からの要求に応答して、ネットワーク上で前記コンピューティング装置との持続的な通信チャネルを確立することと、
前記コンピューティング装置によって提示されている前記メディアコンテンツアイテムの識別情報と、前記コンピューティング装置によって提示されている前記メディアコンテンツアイテムのソースの識別情報とを受信することと、
前記メディアコンテンツアイテムの識別された前記ソースから前記メディアコンテンツアイテムをメディアコンテンツストリームとして要求することと、
前記メディアプレイバック装置を用いて前記メディアコンテンツアイテムを提示することとを備える、コンピュータ読取可能なプログラム。
【請求項１６】
前記方法はさらに、
前記メディアコンテンツアイテムの提示を一時停止するコマンドを、前記通信チャネル上で前記コンピューティング装置から受信することと、
前記メディアコンテンツアイテムの提示を一時停止する受信した前記コマンドに応答して、前記メディアプレイバック装置による前記メディアコンテンツアイテムの提示を一時停止することとを備える、請求項１５に記載のコンピュータ読取可能なプログラム。
【請求項１７】
前記方法はさらに、前記メディアプレイバック装置による前記メディアコンテンツアイテムの提示のステータスを、前記通信チャネル上で前記コンピューティング装置に送信することをさらに備える、請求項１５または１６に記載のコンピュータ読取可能なプログラム。
【請求項１８】
前記ステータスは、前記メディアプレイバック装置を用いて現在提示されている前記メディアコンテンツアイテムの一部に関するタイミング情報を含む、請求項１７に記載のコンピュータ読取可能なプログラム。
【請求項１９】
前記ステータスは、前記メディアプレイバック装置を用いて現在提示されている前記メディアコンテンツアイテムの識別情報を含む、請求項１７または１８に記載のコンピュータ読取可能なプログラム。
【請求項２０】
前記方法はさらに、
前記コンピューティング装置によって提示されている前記メディアコンテンツアイテムのタイミング情報を受信することと、
受信した前記タイミング情報に基づいて、前記メディアプレイバック装置を用いる前記メディアコンテンツアイテムの提示を、前記メディアコンテンツアイテムにおける特定の時間に開始することとを備える、請求項１５から１９のいずれか１項に記載のコンピュータ読取可能なプログラム。
【請求項２１】
前記メディアコンテンツアイテムの前記ソースの前記識別情報はＩＰアドレス情報を含む、請求項１５から２０のいずれか１項に記載のコンピュータ読取可能なプログラム。